(57)【要約】【課題】乗りかご内に閉じ込められた乗客に対して換気装置が動作していることを伝えることができるようにする。【解決手段】本発明は、エレベーターを制御する制御装置２と、エレベーターの乗りかご１内を換気する換気装置４とを備えたエレベーター装置であって、制御装置２は、換気装置４の擬似動作音を生成する合成音声制御部１３を有し、乗りかご１内に設けられ合成音声制御部１３で生成された擬似動作音を放送する放送装置、例えばインターホン６を備えており、制御装置２は、乗りかご１の閉じ込めを認識したときに、換気装置４を動作させると共に合成音声制御部１３で生成された擬似動作音をインターホン６から放送させる処理を行う。【選択図】図１
2018039615.tif 000002
【特許請求の範囲】
【請求項１】
エレベーターを制御する制御装置と、前記エレベーターの乗りかご内を換気する換気装置とを備えたエレベーター装置であって、
前記制御装置は、前記換気装置の擬似動作音を生成する合成音声制御部を有し、
前記乗りかご内に設けられ前記合成音声制御部で生成された擬似動作音を放送する放送装置を備えており、
前記制御装置は、乗りかごの閉じ込めを認識したときに、前記換気装置を動作させると共に前記合成音声制御部で生成された擬似動作音を前記放送装置から放送させることを特徴とするエレベーター装置。
【請求項２】
請求項１に記載のエレベーター装置であって、
前記制御装置が前記乗りかごの閉じ込めを認識したときに、前記制御装置の制御により前記換気装置の動作状況を表示する表示装置を備えることを特徴とするエレベーター装置。
【請求項３】
請求項２に記載のエレベーター装置であって、
前記放送装置は前記乗りかご内に設けられたインターホンから成り、前記表示装置は前記乗りかご内に設けられたインジケーターから成ることを特徴とするエレベーター装置。
【請求項４】
請求項２または３に記載のエレベーター装置であって、
前記乗りかご内の状況を検出する状況検出センサーを備えており、
前記制御装置は、前記乗りかごの閉じ込めを認識したとき、前記状況検出センサーで検出された前記乗りかご内の状況に応じた音量の擬似動作音を前記放送装置から放送させ、または前記状況検出センサーで検出された前記乗りかご内の状況に応じた前記換気装置の動作状態を前記表示装置に表示させることを特徴とするエレベーター装置。
【請求項５】
請求項２または３に記載のエレベーター装置であって、
前記乗りかご内の温湿度を検出する温湿度センサー、または前記乗りかご内の酸素濃度を検出する酸素濃度センサーを備えており、
前記制御装置は、前記乗りかごの閉じ込めを認識したとき、前記温湿度センサーで検出された温湿度、または前記酸素濃度センサーで検出された酸素濃度を、前記放送装置から放送させ、または前記表示装置に表示させることを特徴とするエレベーター装置。
【発明の詳細な説明】
【技術分野】
【０００１】
本発明は、乗りかごの閉じ込め時に動作する換気装置を備えたエレベーター装置に関する。
【背景技術】
【０００２】
エレベーターは、乗りかご内を快適な環境に保つことができるように、換気装置が乗りかごに備えられており、主に温度、湿度の高い梅雨時から夏にかけて換気装置を動作させるようにしている。
【０００３】
また通常、エレベーターが異常を検知して非常停止すると、エレベーターは自動で再起動し、最寄階へ低速走行し、乗りかご内の乗客を乗りかごの外に降ろす制御を行う。
【０００４】
しかし、エレベーターが再起動するも異常を検知し続けたときには、人命に関わる機器故障の可能性があることから、前述した最寄り階への運転制御は行わず、エレベーターに備えられた通報装置から監視センターに異常通報が行われる。このとき近隣のエレベーターの保守作業者が当該エレベーターを復旧させるまでの間、乗りかご内の乗客は閉じ込められた状態となる。
【０００５】
乗りかご内に閉じ込められた乗客は、エレベーター保守作業者が到着し、復旧作業が完了するまで、閉塞された乗りかご内で待機せざるを得ない。このため乗りかご内の乗客は閉塞感及び不安感からパニックになる虞がある。
【０００６】
この対応として、特許文献１には、乗りかごの閉じ込めが発生したときに、換気装置が動作していない場合には、自動的に換気装置を動作させ、乗客が感じる閉塞感、不安感を緩和させるエレベーターの制閉じ込め時動作システムが開示されている。
【０００７】
また、特許文献２には、乗りかごの閉じ込めが発生し、かつ乗りかご内に備えられたインターホン釦の押下が検知された場合に、換気装置を動作させることで、閉じ込められた乗客が確実に存在する状況で換気制御を行うエレベーター装置が開示されている。
【先行技術文献】
【特許文献】
【０００８】
【特許文献１】特開２００９−２５６０２１号公報
【特許文献２】特開２０１２−１２１６５４号公報
【発明の概要】
【発明が解決しようとする課題】
【０００９】
しかしながら、昨今のエレベーターでは、エレベーターを快適に利用するために、動作音が発生しない換気装置が備えられている。したがって換気装置が動作していたとしても、乗りかご内の乗客は閉じ込められたことによる閉塞感、不安感から換気装置の動作に気が付かず、パニックに陥ってしまう虞がある。
【００１０】
エレベーターは、閉じ込めを認識すると自動的に監視センターに異常通報し、監視センターのオペレータは、乗りかご内に閉じ込められた乗客と乗りかご内のインターホーンにより通話を行うが、前述した閉塞感、不安感から乗客がパニックに陥っているときには、監視センターのオペレータと乗客との間で正常な会話が困難となり、エレベーターの現状の把握や復旧までの時間の把握等が難しくなりやすい。
【００１１】
上記課題を解決するために、本発明の目的は、乗りかご内に閉じ込められた乗客に対して換気装置が動作していることを伝えることができるエレベーター装置を提供することにある。
【課題を解決するための手段】
【００１２】
上記課題を解決するために、本発明に係るエレベーター装置は、エレベーターを制御する制御装置と、前記エレベーターの乗りかご内を換気する換気装置とを備えたエレベーター装置であって、前記制御装置は、前記換気装置の擬似動作音を生成する合成音声制御部を有し、前記乗りかご内に設けられ前記合成音声制御部で生成された擬似動作音を放送する放送装置を備えており、前記制御装置は、乗りかごの閉じ込めを認識したときに、前記換気装置を動作させると共に前記合成音声制御部で生成された擬似動作音を前記放送装置から放送させることを特徴としている。
【発明の効果】
【００１３】
本発明に係るエレベーター装置によれば、乗りかごに閉じ込められた乗客の閉塞感及び不安感を緩和させて、パニックに陥る虞を従来よりも低減させることができる。これにより、閉じ込められた乗客との正常な会話が可能となり、エレベーターの現状の把握や復旧までの時間の把握等が容易になる。前述した以外の課題、構成及び効果は、以下の実施形態の説明により明らかにされる。
【図面の簡単な説明】
【００１４】
【図１】本発明に係るエレベーター装置の一実施形態を示すブロック図である。
【図２】本実施形態に備えられた制御装置の処理内容、インターホンから放送される音声内容、及びインジケーターで表示される表示例を説明する図である。
【図３】本実施形態に備えられたインジケーターで表示される表示例を示す図である。
【図４】本実施形態に備えられた制御装置の処理手順を示すフローチャートである。
【発明を実施するための形態】
【００１５】
以下、本発明に係るエレベーター装置の実施の形態を図面に基づいて説明する。
【００１６】
図１は、本発明に係るエレベーター装置の一実施形態を示すブロック図である。
【００１７】
この図１に示すように、エレベーターは乗客が搭乗する乗りかご１と、エレベーターを制御する制御装置２とを有しており、乗りかご１と制御装置２とはテールコード３で通信接続されている。
【００１８】
乗りかご１には、乗客が快適に利用できるように、乗りかご１内の空気を循環させる換気装置４と、乗りかご１の運転開始時のショック軽減や、許容積載荷重を超えての運転をさせないために搭乗荷重を計測する荷重センサー５と、放送装置、例えば乗りかご１内に設けられ閉じ込め等の非常時に外部との通話を可能にさせるインターホン６と、表示装置、例えば乗りかご１内に設けられ運行状況を表示するインジケーター７とが具備されている。
【００１９】
制御装置２には、エレベーターに備えられた各種センサーや駆動機器等の動作の検出、及び制御を集中して行う中央制御部８が具備されており、この中央制御部８は、乗りかご１と、テールコード３及びかご機器接続部９とを介して通信を行う。
【００２０】
また、制御装置２には、インターホン６を介して外部へ通話したり、閉じ込め等のエレベーター異常を外部へ通報するための通報処理部１０と、インターホン６の操作を検出したり、乗客が操作しなくても自動制御でインターホン６を動作状態にするインターホン制御部１１と、インターホン６における通話や放送される合成音声を再生する音声処理部１２と、前述した合成音声をインターホン６から放送させる処理を行う合成音声制御部１３と、合成音声データを格納する音声ＲＯＭ１４と、インジケーター７を表示制御するインジケーター制御部１５と、換気装置４を制御する換気装置制御部１６と、荷重センサー５の測定値を検出する荷重センサー計測部１７と、前述した各制御部の制御データ等を格納し更新するＲＡＭ１８とが具備されている。合成音声制御部１３は、換気装置４の擬似動作音を生成する。
【００２１】
外部との通話や外部への通報は、通報処理部１０、回線網２０を介して複数のエレベーターを管理する監視センター１９に送信される。
【００２２】
図２は、本実施形態に備えられた制御装置の処理内容、インターホンから放送される音声内容、及びインジケーターで表示される表示例を説明する図、図３は、本実施形態に備えられたインジケーターで表示される表示例を示す図、図４は、本実施形態に備えられた制御装置の処理手順を示すフローチャートである。以下、主に図４に示すフローチャートの各ステップに基づいて乗りかご１の閉じ込めが発生したときの本実施形態に備えられた制御装置２の処理動作を説明する。
【００２３】
［ステップＳ１］  中央制御部８は、現在の換気装置制御部１６の制御状態について、すなわち換気装置４が動作しているか否か判定する。換気装置４が動作していると判定されたとき（Ｓ１／Ｙｅｓ）は、ステップＳ３に進む。今は例えば換気装置４は、動作していないと状態とし、ステップＳ２に進む（Ｓ１／Ｎｏ）。
【００２４】
［ステップＳ２］  中央制御部８は、換気装置制御部１６に換気装置４を動作させる指令を出す。次はステップＳ３に進む。
【００２５】
［ステップＳ３］  中央制御部８は、インターホン制御部１１、音声処理部１２、合成音声制御部１３に指令を出し、インターホン６を動作状態にして、また、合成音声制御部１３は音声ＲＯＭ１４に格納の音声データである、図２の項番ａで示す合成音声、すなわち換気装置４の擬似動作音を、音量（大）にて再生を行うことで、インターホン６から換気装置４の擬似動作音を音量（大）で放送させる。次にステップＳ４に進む。
【００２６】
［ステップＳ４］  更に乗りかご１内の乗客に対して換気装置４が動作していることを知らせる放送を再生する。具体的には、合成音声制御部１３は、図２の項番ｃで示す処理、すなわち換気装置４の擬似動作音をフェードアウト、つまり音量を小さくすると共に、図２の項番ｆで示す、音声ＲＯＭ１４に格納の音声データである、換気装置４が動作していることを知らせるアナウンスすなわち放送を再生し、再生を完了するとステップＳ５に進む。
【００２７】
ここで、換気装置４の擬似動作音をフェードアウトするのは、インターホン６からの放送が換気装置４の擬似動作音により聞こえにくくなるのを防ぐためであり、以降で説明する音声制御についても同様に実施される。
【００２８】
また、このとき、インジケーター７に図３の「Ａ」で示す表示が行われ、乗りかご１の乗客に対して目と耳で、換気装置４が動作していることが知らされる。
【００２９】
［ステップＳ５］  ステップＳ４において説明した放送の再生が完了したため、合成音声制御部１３は、図２の項番ｄで示す処理、すなわち換気装置４の擬似動作音をフェードイン、つまり音量を大きくする処理を行う。次にステップＳ６に進む。
【００３０】
［ステップＳ６］  中央制御部８は通報処理部１０に指令し、監視センター１９へ通報する処理を開始するまで待つ。その間、インターホン６から換気装置４の擬似動作音（大）が放送された状態に保たれる。監視センター１９へ通報する処理を開始すると、ステップＳ７に進む（Ｓ６／Ｙｅｓ）。
【００３１】
［ステップＳ７］  合成音声制御部１３は、図２の項番ｃで示す処理、すなわち換気装置４の擬似動作音をフェードアウトさせる。次にステップＳ８に進む。
【００３２】
［ステップＳ８］  合成音声制御部１３は、図２の項番ｇで示す、音声ＲＯＭ１４に格納の音声データである、監視センター１９へ通報する処理を行っていることを知らせる放送を再生する。また、このときに、インジケーター７に図３の「Ｂ」に示す表示を行い、乗客に対して目と耳で、監視センター１９へ通報する処理を行っていることを知らせる。次にステップＳ９に進む。
【００３３】
［ステップＳ９］  監視センター１９に接続し、通話処理を開始したか否か判定する。通話処理が開始されていないとき（Ｓ９／Ｎｏ）には、ステップＳ８の処理が繰り返される。通話処理が開始されると、ステップＳ１０に進む（Ｓ９／Ｙｅｓ）。
【００３４】
［ステップＳ１０］  合成音声制御部１３は、図２の項番ｅで示す処理、すなわち換気装置４の擬似動作音を停止させ、乗りかご１内の乗客と、監視センター１９のオペレータとの間で良好な通話が可能となる状態にする。次にステップＳ１１に進む。
【００３５】
［ステップＳ１１］  前述した通話が終了するまで待つ。その間、インターホン６からは合成音声は放送しない。通話が完了する（Ｓ１１／Ｙｅｓ）と、ステップＳ１２に進む。
【００３６】
［ステップＳ１２］  ステップＳ１１において説明した、乗りかご１内の乗客と監視センター１９のオペレータとの会話が終了して通話処理が完了したため、図２の項番ｂで示す処理、すなわち換気装置４の擬似動作音を、インターホン６から音量（小）で放送させる処理を行う。次にステップＳ１３に進む。
【００３７】
［ステップＳ１３］  図２の項番ｄで示す処理、すなわち換気装置４の擬似動作音をフェードインさせる処理を行う。次にステップＳ１４に進む。
【００３８】
［ステップＳ１４］  エレベーターが復旧したかどうか判定される。この判定がＮｏのときは、復旧、すなわち通常運転が可能な状態になるまで待つ。その間、インターホン６からは換気装置４の擬似動作音（大）が放送され続ける。エレベーターが復旧すると、ステップＳ１５に進む（Ｓ１４／Ｙｅｓ）。
【００３９】
［ステップＳ１５］  合成音声制御部１３は、図２の項番ｃで示す処理、すなわち換気装置４の擬似動作音をフェードアウトさせる。次にステップＳ１６に進む。
【００４０】
［ステップＳ１６］  合成音声制御部１３は、図２の項番ｅで示す処理、すなわち換気装置４の擬似動作音を停止させる。次にステップＳ１７に進む。
【００４１】
［ステップＳ１７］  合成音声制御部１３は、ステップＳ１において換気装置４が当初から動作状態であつたか否かを、中央制御部８のＲＡＭ１８のデータから読み出して判定する。今は、換気装置４が当初は動作していなかったので、ステップＳ１８に進む（Ｓ１７／Ｎｏ）。
【００４２】
［ステップＳ１８］  合成音声制御部１３は、図２の項番ｈで示す処理、すなわちエレベーターが復旧し、換気装置４の動作を停止することがインターホン６から放送される。また、このときに、インジケーター７に図３の「Ｃ」で示す表示が行われ、乗りかご１の乗客に対して目と耳で換気装置４の動作が停止することが知らされる。次にステップＳ１９に進む。
【００４３】
［ステップＳ１９］  換気装置４を当初の状態とする処理、すなわち中央制御部８は換気装置制御部１６に指令し、換気装置４を停止させる。
【００４４】
なお、前述したステップＳ１７において、換気装置４が当所は動作していたと判定されたときには、ステップＳ２０に進む（Ｓ１７／Ｙｅｓ）。
【００４５】
［ステップＳ２０］  合成音声制御部１３は、図２の項番ｉで示す処理、すなわちエレベーターが復旧したことをインターホン６から放送させる。また、このときに、インジケーター７に図３の「Ｄ」で示す表示を行わせる。換気装置４については動作状態にする処理が行われる。
【００４６】
以上のように構成した本実施形態によれば、乗りかご１内に閉じ込められた乗客に対して換気装置４が動作していることを確実に伝えることができ、乗りかご１に閉じ込められた乗客の閉塞感及び不安感を緩和させて、パニックに陥る虞を低減させることができる。これにより、閉じ込められた乗客との正常な会話が可能となり、エレベーターの現状の把握や復旧までの時間の把握等が容易になる。
【００４７】
なお、本実施形態で実施される制御装置２における制御を、エレベーターに備えられた乗りかご１内の状況を検出するセンサーと連動させるようにすれば、より気配りの利いた制御が可能となる。例えば、荷重センサー５の荷重計測値、またはかご内カメラを用いた画像解析により、所定時間内に過度の荷重、動きの偏かが発生したり（暴れ状態）、変化が殆どない場合（蹲り、眩暈状態）に、乗りかご１の乗客に対してより気配りの利いた放送や表示を、変化量に応じた複数種類のパターンを活用して行うことが可能となる。
【００４８】
乗りかご１に備えられた音圧センサーが所定時間内の一定音量を検知した場合（叫び状態）に、インターホン６から放送する合成音声の音量を上げたり、インジケーター７のバックライトを制御して点滅させ、換気装置４が動作していることを乗客に知らせることが可能となる。
【００４９】
前述した荷重センサー５、かご内カメラ、及び音圧センサーは、乗りかご１内の状況を検出する状況検出センサーを構成している。
【００５０】
また、乗りかご１内に温湿度センサー、あるいは酸素濃度センサーを備え、温湿度センサーで検出された温湿度を、または酸素濃度センサーで検出された酸素濃度を、一定時間毎に、または乗りかご１内に変化が発生したときに、インターホン６によって放送し、またはインジケーター７に表示することにより、乗りかご１内の環境が快適に保たれていることを乗りかご１内の乗客に知らせることができる。
【００５１】
前述の状況検出センサーを活用した制御、または温湿度センサー、酸素濃度センサーを活用した制御を本実施形態の制御装置２の制御に付加することで、閉じ込められた乗りかご１の乗客に対して、より気配りの利いた制御を行うことができ、閉塞感及び不安感から乗客がパニックに陥る虞をさらに低減させることができる。
【００５２】
なお、各部の構成は図示の実施形態に限定されるものではなく、本発明の主旨を逸脱しない範囲で種々の変更が可能である。
【符号の説明】
【００５３】
１・・乗りかご、２・・制御装置、３・・テールコード、４・・換気装置、５・・荷重センサー（放送装置）、７・・インジケーター（表示装置）、８・・中央制御部、９・・かご機器接続部、１０・・通報処理部、１１・・インターホン制御部、１２音声処理部、１３・・合成音声制御部、１４・・音声ＲＯＭ、１５・・インジケーター制御部、１６・・換気装置制御部、１７・・荷重センサー計測部、１８・・ＲＡＭ、１９・・監視センター、２０・・回線網
【図１】
2018039615.tif 000003
【図２】
2018039615.tif 000004
【図３】
2018039615.tif 000005
【図４】
2018039615.tif 000006